(57)【要約】      （修正有）【課題】握力の弱い学童でも、容易に捕球面の開閉ができ、弾む軟式野球ボールを、スッポリと確実に捕球することができる、軟式野球ボール用学童野球専用グラブを提供する。【解決手段】軟式野球グラブの捕球面Ａに、凸状に耐滑性と柔軟性に富んだ弾性物質を強固に付着させ、その物質の耐滑性と柔軟性によって、飛来してきたゴム製の軟式野球ボールをしっかりと捕球面に固着、捕球することができる。【選択図】図１
2017113313.tif 000002
【特許請求の範囲】
【請求項１】
軟式用野球グラブの捕球面に、凸状に耐滑性と柔軟性に富んだ弾性物質を強固に付着させ、
その物質の耐滑性と柔軟性によって、飛来してきたゴム製の軟式野球ボールをしっかりと捕球面に
固着させることができる軟式用野球グラブ。
【発明の詳細な説明】
【技術分野】
【０００１】
本発明は，野球・ソフトボール用のグラブの捕球面の構造に関するものである。
【背景技術】
【０００２】
野球・ソフトボール用のグラブは、従来、牛革を材料として、各曲線部を有したパーツを縫製接合することにより、立体構造物を成型してゆく生産技法により生産されていた。
人間の手の動きに関して、その力をいかにグラブ本体に効率的伝え、ボールを確実に捕球できるかによって、グラブの良し悪しが判断されている。
グラブの捕球面の部材をいかに効率的にボールに面接触させ、部材表面とボールの摩擦力によって、ボールを捕球面に固着させるのである。
【０００３】
従来の野球・ソフトボール用グラブは、ポケットと呼ばれる、グラブの手のひら部に凹形に成型された捕球ポイントで、ボールの球威を効率的に殺し捕球することを、一般的な捕球の形態としている。  野球・ソフトボールの練習環境において、各プレーヤーは、いかに自分のプレースタイル合ったポケット形状をグラブ内に成型できるかが、技術向上の一手段ともなっている。
【０００４】
しかし、長い野球の経験を持ったプレーヤー以外は、このポケットを成型する工程は大変困難なものと言わざるをえない。特に、まだ、野球を始めたばかりの学童のプレーヤーにおいては、まさに困難な作業となってしまっている。
【０００５】
さらにもう一つの大きな問題は、野球・ソフトボール用のグラブは、それぞれの生産工場の生産加工技術、材料の品質等によっても、その品質に大きな違いが出てしまっており、その品質の違いによっても、捕球し易いグラブとそうでないグラブが市場に存在してしまっているという現実である。
【０００６】
また、特に低価格のグラブに関しては、近年、牛革以外の合成皮革等を使用していることが多くなっており、その材質の違いによっても、捕球機能に大きな影響を与えることになっている。
野球グラブ販売店の販売形態の変化から、ある程度専門的な野球知識がないと、それぞれの子供たちにぴったりと合ったグラブを選択することが難しい時代環境になってしまっている。
【発明の開示】
【発明が解決しようとする課題】
【０００７】
野球経験の豊富なプレーヤーであれば、自分のプレースタイルに合ったグラブの選定は、さほど難しいことではないが、学童野球の子供たち（特に始めて野球を始める子供たち）にとっては、その選定は大変困難なものである。  
【０００８】
父親が野球経験者で、子供に対して適切なグラブ購入、メンテナンスの指示を与えることのできる場合、その子供は、大変幸福であると言うことができる。
一方で、両親が野球を知らない場合があり、まだ、子供が本格的に野球を続けるかどうかという猜疑心に駆られて、「とりあえず」ということで、捕球構造的に問題はあるが、コストパフォーマンスでは優れている合成皮革製のグラブ等を買い与えられてしまった子供は、大変不幸である。
【０００９】
そのような合成皮革製のグラブを買い与えられた子供の不幸は、合成皮革が天然皮革に比べて、「使い込むほどに、馴染んでゆく。」という、特性に欠けるため、なかなか手に馴染んでくれることが無く、ボールを捕球する上で、大きな障壁になってしまっているということである。  天然皮革製のグラブの場合、捕球構造上問題を抱えたグラブでも、練習を続けていくうちに、徐々に手に馴染ませてゆくことができるが、合成皮革の場合は、それが大変難しいという特性がある。
【００１０】
また、学童野球に使用する軟式野球ボールは、ゴム製の中空ボールであり、硬式の天然皮革製野球ボールに比べ、大変弾み易いという特性を持っている。グラブに当たっても、すぐに弾いてしまうので、大変捕球のしづらいボールと言わざるをえない。
この弾みやすく、グラブで捕球しづらいボールを、学童野球では安全のため、あえて使用するわけであるが、このことは、前述したグラブ生産技術や使用材料の問題と複雑に絡み合い、場合によっては、一生懸命練習してもなかなか上達できない、という感情を子供たちに持たせてしまい、野球離れの危険性を内包してしまっているという現実に直面してしまっている。
【００１１】
近年の調査結果によると、全国の学童野球チームの数は、この2年間で約1,000チーム減少したと言われているが、野球関係者は、この問題の原因を、とかく少子化やスポーツの多様化に求めがちである。しかし、実際には、弾む軟式野球ボールを捕球し易いグラブの数が、市場に大量に欠乏しているという現実が見過ごされているのではないか、大いに危惧されるべきところである。
【課題を解決するための手段】
【００１２】
この課題を解決するためにはどうしたら良いかという答えは、大変単純で、握力の弱い学童でも、容易に捕球面の開閉ができ、弾む軟式野球ボールを、スッポリと確実に捕球することができる、軟式野球ボール用学童野球専用グラブを開発することである。
【００１３】
この課題を解決する場合の第一のポイントは、学童の弱い握力でも容易に捕球面を開閉できるような、グラブ本体の材料を使用することである。
例としては、通常のグラブ材よりも薄くすいた皮革、銀面を取り去った床革、ピッグスキン、柔らか目で弾力性がある合成皮革などがあげられる。
そのような柔らかい本体材料を使用することにより、ボールが捕球面に触れる瞬間に捕球面を素早く閉じることができることが肝要である。
【００１４】
この課題を解決する場合の第二の、そして最大のポイントは、ゴム製の軟式野球ボールの表面に対して、しっかりとしたグリップ力を発揮できるような耐滑性と柔軟性に富んだ弾性物質を、捕球面上に凸状に強固に付着させ（図１参照）、軟式野球ボールが捕球面に接した時に、柔軟性溢れる本体材料の助けを借りて、瞬時に捕球面全体でその軟式野球ボールを包み込み、捕球面全体のグリップ力を発揮して、弾み出ようとする軟式野球ボールを
捕球面内にしっかりと固着、捕球することである。
【発明の効果】
【００１５】
この発明の効果は、製造技術や使用材料の違いやブレが生じても、一定の捕球能力を備えた学童用野球グラブを市場に供給できることであり、
子供たちが、使用するグラブの良し悪しの違いで、競技能力にまで大きな影響を受けないことである。そして、ボールを捕球するという人間にとっての快感を、皆が感じ取れるようになることにより、より深遠な野球というスポーツの奥義を極めるべく、その入り口に立てるチャンスを、全ての学童野球経験者に与えることできることである。
【００１６】
この野球というスポーツの魅力を体で知り、その入り口に立つというチャンスを得た子供たちは、やがて中学、高校と学生野球に熱中し、己をとことん鍛え上げて、立派な野球人として成長し、その頂点を極めた何人かのトッププレーヤーは、いずれの日か、必ずWBCのチャンピオンシップを、また日本に持ち帰ってくれることであろう。
【００１７】
この発明の効果は、野球人生の取り掛かりの第一歩で、不幸にしてその魅力に触れることができず、野球を中断してしまう子供たちを、一人でも少なくしていくということなのです。
【図面の簡単な説明】
【００１８】
図１は、野球グラブの捕球面に凸状に耐滑性と柔軟性に富んだ弾性物質を強固に付着させたものの正面図である。
図2は、野球グラブの捕球面に凸状に耐滑性と柔軟性に富んだ弾性物質を強固に付着させたものの平面図である。
【符号の説明】
【００１９】
A＝捕球面。
B＝捕球ポケット。
【図１】
2017113313.tif 000003
【図２】
2017113313.tif 000004